(57)【要約】【課題】写真画像の画質を低下させることを抑制することが可能な構造を備える、写真撮影遊戯機を提供する。【解決手段】この写真撮影遊戯機１においては、ズームレンズ２１５の前側には、ズームレンズ２１５の伸縮時に、ズームレンズ２１５の伸縮にともなって、ズームレンズ２１５の伸縮方向と同じ方向に移動する透明保護プレート４１０が設けられている。【選択図】図１４
2015079049.tif 000002
【特許請求の範囲】
【請求項１】
撮影装置を有し、前記撮影装置を用いてプレイヤを撮影し、プレイヤが撮影された写真画像を利用して写真プリントを作成する、写真撮影遊戯機であって、
前記撮影装置に設けられ、伸縮可能なズームレンズを有する撮影カメラと、
前記撮影カメラの前側に配置されるカメラフードユニットとを、
備え、
前記カメラフードユニットは、
前記ズームレンズの前側を取り囲むように設けられるカメラフードと、
前記ズームレンズの伸縮が可能なように前記ズームレンズが挿入される筒状部と、を含み、
前記ズームレンズの前側には、前記ズームレンズの伸縮時に、前記ズームレンズの伸縮にともなって、前記ズームレンズの伸縮方向と同じ方向に移動する透明保護プレートが設けられている、写真撮影遊戯機。
【請求項２】
前記透明保護プレートは、前記ズームレンズに固定されている、請求項１に記載の写真撮影遊戯機。
【請求項３】
前記カメラフードと前記筒状部とは一体に設けられ、
前記ズームレンズが最も前側に延びた位置と前記ズームレンズが最も後ろ側に縮んだ位置との間を前記ズームレンズが伸縮移動する際に、前記透明保護プレートは前記筒状部の中に位置している、請求項２に記載の写真撮影遊戯機。
【請求項４】
前記ズームレンズと前記透明保護プレートとの間には、
前記ズームレンズの伸縮時に、前記ズームレンズの伸縮にともなって、前記ズームレンズの伸縮方向に前記透明保護プレートを移動させる連動機構が設けられている、請求項１に記載の写真撮影遊戯機。
【発明の詳細な説明】
【技術分野】
【０００１】
この発明は、写真撮影遊戯機に関する。
【背景技術】
【０００２】
写真撮影遊戯機には、コンパクトデジタルカメラがこれまで搭載されていたが、最近の写真撮影遊戯機には、高画質化のニーズに伴い、デジタル一眼レフカメラが搭載されるようになってきている。デジタル一眼レフカメラの場合、デジタル一眼レフカメラに装着されているズームレンズを回転（伸縮）させることにより画角が調整される。
【０００３】
特開２０１３−４２３１４号公報（特許文献１）には、デジタル一眼レフカメラを搭載した写真撮影遊戯機において、デジタル一眼レフカメラに装着されたズームレンズを回転させる回転機構を設け、写真撮影遊戯機内の制御回路により回転機構を制御し、上半身撮影および全身撮影に応じた画角にデジタル一眼レフカメラを調整してプレイヤを撮影する技術が開示されている。
【０００４】
上記写真撮影遊戯機においては、１回のプレイで、プレイヤの上半身を撮影する上半身撮影と、プレイヤの全身を撮影する全身撮影とを行なって写真画像を提供する。上半身撮影と全身撮影とを１台の撮影カメラで行なう場合、全身撮影ではプレイヤの頭から足先まで写るように撮影カメラの画角が広角側に設定され、上半身撮影ではプレイヤの顔が大きく写るように撮影カメラの画角が望遠側に設定される。
【０００５】
特開２００５−１０３２７号公報（特許文献２）には、ズームレンズの故障、傷、レンズに直接付着するほこりなどの汚れを防止し、さらに、プレイヤが直接ズームレンズを触れられないようにするために、ズームレンズの前に透過度の高い透明保護プレート（透明アクリル）が固定的に備えられている技術が開示されている。
【先行技術文献】
【特許文献】
【０００６】
【特許文献１】特開２０１３−４２３１４号公報
【特許文献２】特開２００５−１０３２７号公報
【発明の概要】
【発明が解決しようとする課題】
【０００７】
通常、レンズにおけるピントの合う範囲は、焦点が合う位置を基準として、「レンズに近づく側（前側）」と「レンズから離れる側（後側）」とでは、１：２という比率に設定されている。また、デジタル一眼レフカメラ等によく用いられるズームレンズには、「・・・←→Ｆ５．６←→Ｆ８←→Ｆ１１←→Ｆ１３←→・・・」で示される絞り（Ｆ値）がある。
【０００８】
絞り（Ｆ値）を上げることにより、被写界深度（ピントの合っている範囲）が深くなる。絞り（Ｆ値）を上げれば上げるほど、ピントの合う範囲も広くなる。
【０００９】
そこで、上記写真撮影遊戯機においては、複数人のプレイヤを同時に撮影する場合に、前側のプレイヤも、後側のプレイヤのいずれのプレイヤにもピントが合うように、絞りの値を比較的大きな「Ｆ１３」に設定している。
【００１０】
しかし、絞りを大きな値にした場合には、被写界深度が深くなる結果、カメラの前に位置する透明保護プレートに埃等が付着した場合、埃等にピントが合っていないものの、ぼやけた埃等の画像が写真画像に写り込み、写真画像の画質を低下させる課題の発生が懸念される。
【００１１】
この課題について図２８から図３１を参照して説明する。図２８に、背景技術における撮影カメラ２００およびズームレンズ２１５の伸縮を調節する調整装置３００Ａを示す。調整装置３００Ａは、支持台３０１を含み、この支持台３０１に撮影カメラ２００が固定されている。
【００１２】
撮影カメラ２００の前方には、カメラフードユニット３３０Ａが設けられている。カメラフードユニット３３０Ａは、撮影カメラ２００から見て、ボックス３３１ａ、ガイドプレート３３２ａ、防塵フィルタ３３２ｓ、透明保護プレート４１０ｐ、支持プレート３３３ａ、および、保護リング３３４ａを備える。防塵フィルタ３３２ｓは、透明保護プレート４１０ｐの内側への埃等の付着を防止する。
【００１３】
ボックス３３１ａおよびガイドプレート３３２ａには、ズームレンズ２１５を通過させるための、開口部３３１ｈ、３３２ｈが設けられている。支持プレート３３３ａには、光を通過させるための開口部３３３ｈが設けられている。
【００１４】
図２９を参照して、ズームレンズ２１５が、前側に位置する場合には、透明保護プレート４１０ｐの表面に付着した埃Ｐ１等が、写真画像に写り込むことはない。しかし、図３０を参照して、ズームレンズ２１５が、後側に位置する場合には、透明保護プレート４１０ｐの表面に付着した埃Ｐ１等が、写真画像に写り込む。たとえば、図３１に示すように、プレーヤを全身撮影した写真画像には、所々に画像がぼやけた領域Ｐ１１が写り込み、写真画像の画質の低下を招いている。
【００１５】
したがって、本発明の目的は、写真画像の画質を低下させることを抑制することが可能な構造を備える、写真撮影遊戯機を提供することにある。
【課題を解決するための手段】
【００１６】
この写真撮影遊戯機においては、撮影装置を有し、上記撮影装置を用いてプレイヤを撮影し、プレイヤが撮影された写真画像を利用して写真プリントを作成する、写真撮影遊戯機であって、以下の構成を備えている。
【００１７】
上記撮影装置に設けられ、伸縮可能なズームレンズを有する撮影カメラと、上記撮影カメラの前側に配置されるカメラフードユニットとを備える。
【００１８】
上記カメラフードユニットは、上記ズームレンズの前側を取り囲むように設けられるカメラフードと、上記ズームレンズの伸縮が可能なように上記ズームレンズが挿入される筒状部とを含む。
【００１９】
上記ズームレンズの前側には、上記ズームレンズの伸縮時に、上記ズームレンズの伸縮にともなって、上記ズームレンズの伸縮方向と同じ方向に移動する透明保護プレートが設けられている。
【００２０】
他の形態では、上記透明保護プレートは、上記ズームレンズに固定されている。
他の形態では、上記カメラフードと上記筒状部とは一体に設けられ、上記ズームレンズが最も前側に延びた位置と上記ズームレンズが最も後ろ側に縮んだ位置との間を上記ズームレンズが伸縮移動する際に、上記透明保護プレートは上記筒状部の中に位置している。
【００２１】
他の形態では、上記ズームレンズと上記透明保護プレートとの間には、上記ズームレンズの伸縮時に、上記ズームレンズの伸縮にともなって、上記ズームレンズの伸縮方向に上記透明保護プレートを移動させる連動機構が設けられている。
【発明の効果】
【００２２】
この発明によれば、写真画像の画質を低下させることを抑制することが可能な構造を備える写真撮影遊戯機を提供することを可能とする。
【図面の簡単な説明】
【００２３】
【図１】実施の形態１の写真撮影遊戯機を撮影ブース側から見た斜視図である。
【図２】実施の形態１の事前接客ブースおよび撮影ブース内の正面筐体の斜視図である。
【図３】実施の形態１の撮影ブース内の背面筐体の斜視図である。
【図４】実施の形態１の編集ブース内の編集装置の斜視図である。
【図５】実施の形態１の写真撮影遊戯機の機能ブロック図である。
【図６】実施の形態１の写真撮影遊戯機の写真プリントの作成方法の全体フローを示す図である。
【図７】実施の形態１の写真撮影遊戯機で生成される合成画像が印刷された写真プリントの一例を示す図である。
【図８】実施の形態１の撮影カメラおよび調整装置を前方から見た斜視図である。
【図９】実施の形態１の調整装置からカメラフードユニットを取り外した状態の全体斜視図である。
【図１０】実施の形態１のカメラフードユニットを分解した状態の調整装置の全体斜視図である。
【図１１】実施の形態１のズームレンズに取り付けられるレンズ保護プレートの構造を示す断面図である。
【図１２】実施の形態１のズームレンズが最も前側に延びた状態を示す全体斜視図である。
【図１３】実施の形態１のズームレンズが最も後側に縮んだ状態を示す全体斜視図である。
【図１４】実施の形態１のズームレンズが最も前側に延びた状態を示す断面模式図である。
【図１５】実施の形態１のズームレンズが最も後側に縮んだ状態を示す断面模式図である。
【図１６】実施の形態２のズームレンズが最も前側に延びた状態を示す断面模式図である。
【図１７】実施の形態２のズームレンズが最も後側に縮んだ状態を示す断面模式図である。
【図１８】実施の形態３のズームレンズが最も前側に延びた状態を示す断面模式図である。
【図１９】実施の形態３のズームレンズが最も後側に縮んだ状態を示す断面模式図である。
【図２０】実施の形態４のズームレンズが最も前側に延びた状態を示す断面模式図である。
【図２１】実施の形態４のズームレンズが最も後側に縮んだ状態を示す断面模式図である。
【図２２】実施の形態５のズームレンズが最も前側に延びた状態を示す断面模式図である。
【図２３】実施の形態５のズームレンズが後側に縮む状態を示す断面模式図である。
【図２４】実施の形態５のズームレンズがさらに後側に縮む状態を示す断面模式図である。
【図２５】実施の形態５のズームレンズが最も後側に縮んだ状態を示す断面模式図である。
【図２６】実施の形態６のズームレンズが最も前側に延びた状態を示す断面模式図である。
【図２７】実施の形態６のズームレンズが最も後側に縮んだ状態を示す断面模式図である。
【図２８】背景技術におけるカメラフードユニットを分解した状態の調整装置の全体斜視図である。
【図２９】背景技術においてズームレンズが最も前側に延びた状態を示す断面模式図である。
【図３０】背景技術において実施の形態１のズームレンズが最も後側に縮んだ状態を示す断面模式図である。
【図３１】背景技術における画質の低下を招いた写真画像を示す図である。
【発明を実施するための形態】
【００２４】
本発明に基づいた各実施の形態における写真撮影遊戯機について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００２５】
＜実施の形態１＞
（写真撮影遊戯機１の全体構成）
図１を参照して、本実施の形態における写真撮影遊戯機１の全体構成について説明する。図１は、写真撮影遊戯機１を撮影ブース２側から見た斜視図である。写真撮影遊戯機１は、撮影ブース２、編集ブース３、事前接客ブース４、および事後接客ブース５（詳細は、図４参照）を備える。
【００２６】
撮影ブース２では、プレイヤを被写体とする写真画像が生成される。編集ブース３では、生成された写真画像が編集される。事前接客ブース４では、写真画像を生成するための設定条件を、写真画像を撮影および生成する前に受け付ける。
【００２７】
（事前接客ブース４の構成）
図２を参照して、事前接客ブース４の構成について説明する。図２は、図１に示される写真撮影遊戯機１のうち、事前接客ブース４および撮影ブース２内の正面筐体２０Ａの斜視図である。
【００２８】
事前接客ブース４には、事前受付装置４０が配置される。事前受付装置４０は、写真撮影遊戯機１の側面（正面筐体２０Ａの側面）に配置される。事前受付装置４０は、受付用ディスプレイ４１と、コイン投入口４２と、スピーカ４３とを備える。受付用ディスプレイ４１の表面には図示しないタッチパネルが貼り付けられている。事前受付装置４０は、受付用ディスプレイ４１のタッチパネルを介して、プレイヤの選択操作を受け付ける。事前受付装置４０は、図２に示す配置位置と反対側にも配置してもよい。
【００２９】
プレイヤは、撮影ブース２で撮影する前に、コイン投入口４２（コイン制御部４４）にコインを投入する。コインの投入によりプレイが開始され、プレイヤは、受付用ディスプレイ４１に表示される選択画面に従って、写真画像を生成するための設定条件を選択する。この操作により、生成される写真画像および合成画像の条件が決定される。このように、事前接客ブース４では、プレイヤの選択により、合成画像の生成条件が決定される。
【００３０】
（撮影ブース２の構成）
撮影ブース２は、図２に示す正面筐体２０Ａと、図３に示す背面筐体２０Ｂとを含む。正面筐体２０Ａと背面筐体２０Ｂとは、互いに対向して配置されている。正面筐体２０Ａと背面筐体２０Ｂとは、フレーム材等で連結される。撮影ブース２では、正面筐体２０Ａおよび背面筐体２０Ｂにより、内部に空間が形成され、正面筐体２０Ａの側面と背面筐体２０Ｂの側面との間に形成される間隔が、撮影ブース２内への出入り口となる。出入口には、図示しないカーテン等が配置される。以降、撮影ブース２において、正面筐体２０Ａ側を「正面側」、背面筐体２０Ｂ側を「背面側」と称する。
【００３１】
撮影ブース２は、撮影装置２０を備える。撮影装置２０は、正面筐体２０Ａの正面側に配置される。図２に示すように、撮影装置２０は、撮影カメラ２００、ディスプレイ２２０、および照明装置２３１〜２４２を含む。撮影カメラ２００は、撮影ブース２の背面側を向くように配置され、プレイヤを正面から撮影して写真画像を生成する。
【００３２】
ディスプレイ２２０は、撮影カメラ２００でプレイヤを撮影するときに、プレイヤが自分の撮影ポーズを確認するためのモニタである。具体的には、ディスプレイ２２０は、撮影カメラ２００と同様に、撮影ブース２の背面側を向くように配置される。ディスプレイ２２０は、撮影カメラ２００で撮影されたプレイヤの映像を左右反転してライブ映像（動画）としてリアルタイムに表示する。
【００３３】
プレイヤは撮影カメラ２００での撮影時に、ディスプレイ２２０に鏡のように映る自分の姿を見ながら撮影することができる。ディスプレイ２２０にはタッチパネルが貼り付けられており、タッチパネルを介してプレイヤの入力操作を受け付ける。本実施の形態では、撮影カメラ２００は縦長長方形状の撮像面を有する。つまり、撮影カメラ２００の撮影範囲は縦長であり、より具体的には、縦長の長方形である。
【００３４】
上述した撮影カメラ２００は、一眼レフレックスデジタルカメラ（いわゆる、デジタル一眼レフカメラ）である。撮影カメラ２００は、図示しない公知のオートフォーカス（ＡＦ）モジュールを備える。ＡＦモジュールは、たとえば公知の位相差検出法を用い、図示しない撮影レンズの位置を調整して焦点を合わせる。撮影カメラ２００は、プレイヤを撮影した際に、写真画像の撮影日時、焦点距離等を含むメタデータ（以下、撮影情報と称する）と、ＪＰＥＧ等の写真画像の画像データとを含むＥｘｉｆ（Exchangeable  image  file  format）形式の写真画像データを生成する。
【００３５】
照明装置２３１〜２４２は、いずれも撮影ブースの背面側に向いて配置される。これらの照明装置２３１〜２４２は、非撮影時も発光しているが、撮影カメラ２００がプレイヤを撮影する瞬間（つまり、ライブ映像を静止画として取り込む瞬間）には、内部に設けられたフラッシュライトが発光し、プレイヤを強く照明する。
【００３６】
照明装置２３６〜２３８は、撮影カメラ２００の近傍の周りに配置され、撮影カメラ２００の周りに暗部が形成されるのを抑制する。さらに、プレイヤの鼻筋にハイライトを付ける効果を有する。ドーム型の照明装置２３１〜２３５は、撮影カメラ２００を取り囲むように配置される。このような配置により、譲影されたプレイヤが立体的に見えやすくなる。
【００３７】
さらに、５つのドーム型の照明装置２３１〜２３５が、プレイヤの瞳の中に写り込む、いわゆるアイキャッチ効果を生み出す。照明装置２３９〜２４２は、プレイヤの下半身を照らし、下半身に暗部が形成されるのを抑制する。
【００３８】
図３を参照して、背面筐体２０Ｂにも照明装置２５１〜２５４が配置される。照明装置２５１〜２５４は、撮影ブース２の正面側を向いて配置され、照明装置２３１〜２４２と同様に、非撮影時も発光しているが、撮影カメラ２００がプレイヤを撮影する瞬間（つまり、ライブ映像を静止画として取り込む瞬間）には、内部に設けられたフラッシュライトが発光し、プレイヤを強く照明する。
【００３９】
背面筐体２０Ｂの背面には、背面パネル２５０が配置される。背面パネル２５０は、クロマキ一合成用のパネルであってもよいし、クロマキー合成用のカーテンを備えてもよい。
【００４０】
撮影ブース２の床面には、クロマキ一合成用の床マット、または、床板等の床部材（図示省略）が設けられている。床部材は、たとえば黄緑色であり、背面筐体２０Ｂの背面パネル２５０と同じ色である。撮影カメラ２００は、床部材および背面パネル２５０を背景とする撮影を行なう。写真撮影遊戯機１は、クロマキー技術を用いることによりプレイヤ（被写体）以外の背景を容易に特定できる。
【００４１】
（編集ブース３の構成）
編集ブース３では、撮影ブース２で生成されたプレイヤ（プレイヤ）の写真画像に落書き画像等の編集画像を配置する編集処理が実施される。写真画像および編集画像を合成することにより後述の合成画像が生成される。編集ブース３には、編集装置３５が配置される（図１を参照）。
【００４２】
図４を参照して、編集装置３５の詳細を説明する。図４は、編集装置３５の斜視図である。編集装置３５は、２つの画像編集装置３５０を有し、２つの画像編集装置３５０は、互いに背中合わせになるように、筐体３６０の正面および背面に配置される。
【００４３】
各画像編集装置３５０は、編集用ディスプレイ３５１と、２つのタッチペン３５２と、スピーカ３５３とを備える。編集用ディスプレイ３５１は、画像編集装置３５０の中央に設けられ、撮影処理で生成された複数の写真画像を表示する。さらに、編集用ディスプレイ２５１の表示画面上には透明なタッチパネルが貼り付けられている。
【００４４】
画像編集装置３５０は、タッチパネルを介してプレイヤの編集操作を受け付ける。２つのタッチペン３５２は、編集用ディスプレイ３５１の両側に設けられる。タッチペン３５２は、ペン画像やスタンプ画像といった編集画像（落書き画像）を編集用ディスプレイ３５１で写真画像内に配置するために用いられる。つまり、プレイヤはタッチペン３５２を用いて、写真画像を編集する。本実施の形態では、タッチペン３５２が画像の編集に用いられるが、プレイヤは、タッチペン３５２の代わりに、指で編集用ディスプレイ３５１のタッチパネルに直接触れてもよい。
【００４５】
スピーカ３５３は、編集プレイのための操作方法などの案内やＢＧＭなどを出力する。編集終了後、写真撮影遊戯機１は写真画像と編集画像とを合成して合成画像を生成する。
【００４６】
（事後接客ブース５の構成）
図４を参照して、事後接客ブース５の構成について説明する。事後接客ブース５には、事後受付装置５０が配置される。事後受付装置５０は、編集装置３５の側面に配置される。事後受付装置５０は、受付用ディスプレイ５１と、写真プリント排出装置５２と、スピーカ５３と、プリント排出口５４とを備える。
【００４７】
受付用ディスプレイ５１の表面には図示しないタッチパネルが貼り付けられている。事後受付装置５０は、受付用ディスプレイ５１のタッチパネルを介して、プレイヤの選択操作を受け付ける。
【００４８】
写真プリント排出装置５２は、受付用ディスプレイ５１の下方配置される。写真プリント排出装置５２は、プリンタ６５０（図５参照）を収納する。プリンタ６５０は、合成画像を印刷用紙である写真プリント用紙に印刷する。写真プリント排出装置５２は、プリンタ６５０により印刷された写真プリントをプリント排出口５４に排出する。プレイヤは、写真プリントがプリント排出口５４から排出されるまでの待ち時間を利用して、受付用ディスプレイ５１から、メールアドレス等を入力する。
【００４９】
（写真撮影遊戯機１の機能構成）
図５は、写真撮影遊戯機１の機能ブロック図である。図５を参照して、写真撮影遊戯機１は、写真撮影遊戯機１全体を制御するコンピュータ装置１０１と、動作中のコンピュータ装置１０１からの指示を受け付けて、接続されている各種装置を制御する制御基板１０２と、クロマキーキャプチャボード１７とを備える。これらは写真撮影遊戯機１の制御装置１００として機能する。制御装置１００は撮影装置２０に搭載されていてもよいし、編集装置３５に搭載されていてもよい。
【００５０】
コンピュータ装置１０１は、ＣＰＵ１０３と、ＨＤＤ１０４と、メモリ１０５と、通信部１０６とを備える。ＣＰＵ１０３は、メインメモリであるメモリ１０５に記憶されたプログラムを実行して、コンピュータ装置１０１を制御する。ＨＤＤ１０４は、本装置に所定の処理を実行させるための制御プログラム、処理に必要なグラフィックデー夕、音声デー夕、生成された写真画像、予め用意された複数の背景画像、予め用意された複数のフレーム画像や複数のスタンプ画像等の各種画像データを記憶する。
【００５１】
制御プログラムは、コンピュータ装置１０１にインストールされることにより、ＨＤＤ１０４に格納される。メモリ１０５は、コンピュータ装置１０１のメインメモリであり、ＣＰＵ１０３により実行される制御プログラムの一時的な作業領域として用いられる。通信部１０６は、インターネット等のネットワークを介して図示しないサーバと通信する。
【００５２】
（事前接客処理時に動作する機能）
コンピュータ装置１０１は、事前接客ブース４での事前接客処理を実行する。事前接客処理は、後述する起動処理および受付処理を含む。具体的には、コンピュータ装置１０１は制御プログラムを実行し、デモ映像、名前入力画面などを受付用の受付用ディスプレイ４１に表示する。コンピュータ装置１０１は、制御基板１０２を介して、受付用ディスプレイ４１およびスピーカ４３と接続される。受付用ディスプレイ４１のタッチパネルは、プレイヤの指の接触を検出し、それに応じた指示信号をコンピュータ装置１０１に送信する。スピーカ４３は、コンピュータ装置１０１から与えられる指示信号に基づいて、案内音声やＢＧＭなどを出力する。
【００５３】
（写真画像生成処理時に動作する機能）
コンピュータ装置１０１は、撮影ブース２での写真画像生成処理を実行する。具体的には、コンピュータ装置１０１は制御プログラムを実行し、必要に応じてディスプレイ２２０を介して入力されたプレイヤの操作に応じて、制御信号を制御基板１０２に送信する。コンピュータ装置１０１は、撮影カメラ２００、ディスプレイ２２０、スピーカ４５０、調整装置３００および制御基板１０２と接続され、それらを制御する。スピーカ４５０は、コンピュータ装置１０１から与えられる指示信号に基づいて、撮影プレイのための操作方法などの案内やＢＧＭなどを出力する。
【００５４】
クロマキーキャプチャボード１７は、撮影カメラ２００で撮影されている映像（プレイヤ映像）を所定の時間間隔（たとえば３０フレーム／秒）でデジタルデータ（静止画像）として取り込む。クロマキーキャプチャボード１７は、取り込んだ静止画像の中からクロマキー技術によりプレイヤ以外の領域を検出し、その検出した領域に選択された所望の背景画像を合成する。コンピュータ装置１０１はさらに、プレイヤ映像の顔部分に画像処理を施し、必要に応じてプレイヤ映像をトリミングする。
【００５５】
（画像編集処理時に動作する機能）
コンピュータ装置１０１はさらに、編集ブース３での画像編集処理を実行する。具体的には、コンピュータ装置１０１は制御プログラムを実行し、編集用の編集用ディスプレイ３５１に対する入力操作に応じて、制御信号を制御基板１０２に送信する。コンピュータ装置１０１は、プリンタ６５０および編集用ディスプレイ３５１と接続され、それらを制御する。
【００５６】
編集用ディスプレイ３５１のタッチパネルは、タッチペン３５２等の接触を検出し、それに応じた指示信号をコンピュータ装置１０１に送信する。編集用ディスプレイ３５１は、コンピュータ装置１０１から送信された編集画像（落書き画像）を写真画像上に重ねて表示する。スピーカ３５３は、コンピュータ装置１０１から与えられる指示信号に基づいて、編集プレイのための操作方法などの案内やＢＧＭなどを出力する。
【００５７】
（サーバとの通信時に動作する機能）
コンピュータ装置１０１はさらに、通信部１０６により、インターネット等のネットワークを介して図示しないサーバＳＶと通信する。写真撮影遊戯機１で生成された画像をプレイヤの携帯端末にサーバ経由で提供可能にする。これにより、プレイヤはプレイヤ端末に写真画像や合成画像を取得できる。
【００５８】
コンピュータ装置１０１は、プレイヤの要求に応じて生成された写真画像および合成画像を取得するのに必要なアクセス情報（たとえばＵＲＬ）を非接触通信装置９７を介してユーザの携帯端末に送信してもよい。
【００５９】
（印刷処理時に動作する機能）
コンピュータ装置１０１は、プリンタ６５０に対して印刷指示を送信し、印刷すべき合成画像を送信する。プリンタ６５０は、印刷すべき合成画像の受信を完了したとき、印刷指示に応じて印刷を開始する。
【００６０】
（事後接客処理時に動作する機能）
コンピュータ装置１０１は、事後接客ブース５での事後接客処理を実行する。コンピュータ装置１０１は制御プログラムを実行し、デモ映像、メールアドレス入力画面などを受付用の受付用ディスプレイ５１に表示する。コンピュータ装置１０１は、制御基板１０２を介して、受付用ディスプレイ５１およびスピーカ５３と接続される。受付用ディスプレイ５１のタッチパネルは、プレイヤの指の接触を検出し、それに応じた指示信号をコンピュータ装置１０１に送信する。スピーカ５３は、コンピュータ装置１０１から与えられる指示信号に基づいて、案内音声やＢＧＭなどを出力する。
【００６１】
（その他の機能）
制御基板１０２はさらに、コンピュータ装置１０１の他に、発光（ストロボ）制御部１１０、ストロボ１５、照明装置２３１〜２４２、照明装置２５１〜２５４、サービスパネル１１３およびコイン制御部４４に接続される。
【００６２】
（写真プリントの作成フロー）
図６を参照して、本実施の形態における写真撮影遊戯機１を用いた写真プリントの作成フローを説明する。図６は、本実施の形態における写真撮影遊戯機１における作成方法の全体フローを示す図である。
【００６３】
写真撮影遊戯機１は、プレイの開始時に事前接客ブース４において事前接客処理として受付処理を行なう。受付処理では、写真画像の生成条件処理、背景選択処理が行なわれる（ステップＳ１０）。写真撮影遊戯機１、撮影ブース２において、プレイヤを被写体として撮影する（ステップ２０）。
【００６４】
写真撮影遊戯機１は、写真撮影後、編集ブース３において、らくがき処理（ステップＳ３０）の受付処理を行なった後、撮影ブース２においてプレイヤを撮影した「写真画像」、および編集ブース３でプレイヤが行なったらくがき処理で入力した「編集画像」を合成し、「合成画像」を生成する写真画像合成処理を行なう（ステップＳ４０）。
【００６５】
生成した合成画像を所定のレイアウトに配置した複数のレイアウトをプレイヤに提示してレイアウトの選択を受け付け（ステップＳ５０）、選択を受け付けたレイアウトにしたがって合成画像を配置して、「シートデザイン画像」に「合成画像」が組み込まれた印刷画像を生成する印刷画像処理を行なう（ステップＳ６０）。「写真画像」に対して、編集ブース３でプレイヤによりらくがき処理が行なわれていない場合も、「合成画像」に含まれるものとする。
【００６６】
写真撮影遊戯機１は、プリンタを用いて、写真プリント用紙に印刷画像を印刷し、その写真プリントを、事後接客ブース５のプリント排出口５４から排出する（ステップＳ７０）。さらに、写真撮影遊戯機１は、サーバを介して合成画像をプレイヤの所有する端末に送信する。プレイヤは、写真プリントがプリント排出口５４から排出されるまでの待ち時間を利用して、受付用ディスプレイ５１から、メールアドレス等を入力する。これにより、プレイヤはプレイヤ端末に写真画像や合成画像の取得が可能となる。
【００６７】
（写真撮影遊戯機１で生成される合成画像）
図７に、写真撮影遊戯機１で生成される合成画像が印刷された写真プリントの一例を示す。図７に示す合成画像ＦＲ１は、撮影処理によって生成されるプレイヤの写真画像ＦＲ１１Ａ（上半身撮影）およびＦＲ１１Ｂ（全身撮影）と、画像編集処理によって生成される編集画像ＦＲ１３とを含む。写真画像ＦＲ１１Ａ，Ｂは、写真画像のみ、または写真画像と背景画像とを含む。編集画像ＦＲ１３は、文字列やフレーム、落書き画像等である。
【００６８】
（撮影カメラ２００および調整装置３００の構成）
図８を参照して、撮影カメラ２００の構成について説明する。図８は、撮影カメラ２００および調整装置３００を前方から見た斜視図である。
【００６９】
撮影カメラ２００は、撮影ブース２の背面側を向くように配置され、プレイヤを正面から撮影して写真画像を生成する。撮影カメラ２００は、カメラ本体２１０およびズームレンズ２１５を含む。撮影カメラ２００は、撮影カメラ２００の焦点距離と撮影方向とを調整する調整装置３００が取り付けられている。撮影カメラ２００は、調整装置３００の支持台３０１に固定されている。支持台３０１は、図示しない固定台に対して回転可能に取り付けられている。撮影カメラ２００の前方（被写体側）には、照明装置２３１〜２４２、照明装置２５１〜２５４からの照射光および照射光の撮影ブース２内において反射した光が、ズームレンズ２１５に写り込まないように、カメラフードユニット３３０が設けられている。
【００７０】
調整装置３００は、ズームレンズ２１５の焦点距離を調整するための調整機構３１０として、モータ３１２、トルクリミッタ３１３、第１ギヤ３１４、第２ギヤ３１５、およびズーム規制ギヤ３１６を備える。
【００７１】
円環状のズーム規制ギヤ３１６は、ズームレンズ２１５に嵌め込まれている。モータ３１２の回転によってトルクリミッタ３１３が回転する。トルクリミッタ３１３の回転によって第１ギヤ３１４および第２ギヤ３１５が回転し、その回転に応じてズーム規制ギヤ３１６が回転する。トルクリミッタ３１３は、所定値以上のトルクを検出した場合、回転を停止する。これにより、ズームレンズ２１５に過負荷がかかることが防止される。ズームレンズ２１５の焦点距離は、ズーム規制ギヤ３１６の回転量に応じて変化する。
【００７２】
本実施の形態では、撮影カメラ２００およびズームレンズ２１５の外側に設けられた、焦点距離を調整する調整機構３１０によって、ズームレンズ２１５の焦点距離が調整される。撮影カメラ２００の撮影画角は、ズームレンズ２１５の焦点距離が望遠側に調整されるほど狭くなり（拡大画角）、ズームレンズ２１５の焦点距離が広角側に調整されるほど広くなる（広角画角）。
【００７３】
図９から図１１を参照して、カメラフードユニット３３０およびレンズ保護プレート４００の構成について説明する。図９は、調整装置３００からカメラフードユニット３３０を取り外した状態の全体斜視図、図１０は、カメラフードユニット３３０を分解した状態の調整装置の全体斜視図、ズームレンズ２１５に取り付けられるレンズ保護プレート４００の構造を示す断面図である。
【００７４】
（カメラフードユニット３３０）
図９および図１０を参照して、カメラフードユニット３３０は、撮影カメラ２００から見て、ボックス３３１、ガイドプレート３３２、支持プレート３３３、および、保護リング３３４を備える。保護リング３３４は、照明装置２３１〜２４２、照明装置２５１〜２５４からの照射光および照射光の撮影ブース２内において反射した光が、ズームレンズ２１５に写り込まないように、光を遮る。また、少なくとも保護リング３３４の内面、支持プレート３３３の表面は、光の反射を抑えるために黒色が採用されている。
【００７５】
ボックス３３１、ガイドプレート３３２、支持プレート３３３、および、保護リング３３４のそれぞれには、ズームレンズ２１５を通過させるための、開口部３３１ｈ、３３２ｈ、３３３ｈ、３３４ｈが設けられている。ガイドプレート３３２には、筒状部３３２ａが設けられ、この筒状部３３２ａの内部が開口部３３２ｈを構成し、この筒状部３３２ａの内部にズームレンズ２１５が挿入される。
【００７６】
（レンズ保護プレート４００）
図１１を参照して、レンズ保護プレート４００は、アクリル樹脂、ガラス等からなる透明保護プレート４１０と、この透明保護プレート４１０の外周部を支持する円筒形状のリング部４２０と有する。透明保護プレート４１０は、リング部４２０の一端側に嵌入されている。リング部４２０の他端側の外周面には、雄ネジ４２０ａが設けられている。ズームレンズ２１５の先端部分の内周面には、リング部４２０の雄ネジ４２０ａに螺合可能な雌ネジ２１５ａが設けられている。
【００７７】
透明保護プレート４１０の雄ネジ４２０ａを、ズームレンズ２１５の雌ネジ２１５ａに螺合させることにより、容易に透明保護プレート４１０をズームレンズ２１５の前側に固定することを可能とする。なお、ネジを用いた螺合構造に限定されることなく、公知の技術を用いて、透明保護プレート４１０をズームレンズ２１５の前側に固定してもよい。
【００７８】
このように、透明保護プレート４１０をズームレンズ２１５の前側に固定することにより、透明保護プレート４１０は、ズームレンズ２１５の伸縮時に、ズームレンズ２１５の伸縮にともなって、ズームレンズ２１５の伸縮方向と同じ方向に移動する。
【００７９】
さらに、レンズ保護プレート４００の取り付け位置は、ズームレンズ２１５の直近の前側であり、透明保護プレート４１０とズームレンズ２１５との間の距離は変化しないことから、撮影カメラ２００の絞り（Ｆ値）を上げることにより、被写界深度が深くなった場合であっても、レンズ保護プレート４００に付着した埃等の像が、写真画像に写り込むことはない。
【００８０】
図１２から図１５を参照して、ズームレンズ２１５の前進および後退について説明する。図１２は、ズームレンズ２１５が最も前側に延びた状態を示す全体斜視図、図１３は、ズームレンズ２１５が最も後側に縮んだ状態を示す全体斜視図、図１４は、ズームレンズ２１５が最も前側に延びた状態を示す断面模式図、図１５は、ズームレンズ２１５が最も後側に縮んだ状態を示す断面模式図である。
【００８１】
なお、「前側」とは、プレイヤ（被写体）に近づく側を意味し、「後側」とは、プレイヤ（被写体）から遠ざかる側への移動を意味する。図中の矢印Ｆは、ズームレンズ２１５が「前側」に伸張する（した）状態を示し、図中の矢印Ｂは、ズームレンズ２１５が「後側」に収縮する（した）状態を示す。
【００８２】
図１２および図１４を参照して、本実施の形態において、ズームレンズ２１５が最も前側に延びた状態においては、ズームレンズ２１５の前に取り付けられた透明保護プレート４１０の前面は、支持プレート３３３の表面から距離ｔ１だけ後退した位置に位置している。一方、ズームレンズ２１５が最も後側に縮んだ状態においては、透明保護プレート４１０の前面は、支持プレート３３３の表面から距離ｔ２だけ後退した位置にまで後退する。
【００８３】
また、ズームレンズ２１５において、図１２および図１４に示す位置（最も前側に延びた状態）から、図１３および図１５に示す位置（最も後側に縮んだ状態）の間、透明保護プレート４１０は、筒状部３３２ａの範囲内で移動する。さらに、ズームレンズ２１５の伸縮時に、透明保護プレート４１０はズームレンズ２１５の伸縮にともなって、ズームレンズ２１５と一体となって、ズームレンズ２１５の伸縮方向に移動する。
【００８４】
本実施の形態において、ズームレンズ２１５は、ズームレンズ２１５が前側に延びる状態は、上半身撮影およびアップ撮影に適した撮影状態となり、ズームレンズ２１５が後側に縮んだ状態は、全身撮影に適した撮影状態となる。なお、ズームレンズの種類によっては、逆の場合もある。
【００８５】
（作用・効果）
以上、本実施の形態における写真撮影遊戯機１によれば、ズームレンズ２１５の前側（先端部分）に透明保護プレート４１０を装着している。これにより、ズームレンズ２１５の移動時に、透明保護プレート４１０はズームレンズ２１５の移動にともなって、ズームレンズ２１５と一体となって、ズームレンズ２１５の移動方向に移動することとなる。
【００８６】
その結果、ズームレンズ２１５と透明保護プレート４１０との間の距離は一定に保たれるため、ズームレンズ２１５が伸縮した場合であっても、透明保護プレート４１０に付着した埃等の像が、写真画像に写り込むことはない。
【００８７】
さらに、ズームレンズ２１５に透明保護プレート４１０を装着しておくことで、ズームレンズ２１５の故障、傷、レンズに直接付着するほこりなどの汚れを防止し、さらに、プレイヤがズームレンズ２１５を直接触れられないようにすることができる。
【００８８】
さらに、本実施の形態におけるカメラフードユニット３３０によれば、図２８に示した背景技術におけるカメラフードユニット３３０Ａの構成に比べ、防塵フィルタを設ける必要がなくなるため、カメラフードユニット３３０の構造の簡略化を図ることも可能としている。
【００８９】
＜実施の形態２＞
図１６および図１７を参照して、本実施の形態における写真撮影遊戯機について説明する。上記実施の形態１との相違点は、ズームレンズ２１５の移動範囲にあり、他の構成は実施の形態１の写真撮影遊戯機１と同じである。よって、ここでは、相違点についてのみ説明する。図１６は、ズームレンズ２１５が最も前側に延びた状態を示す断面模式図、図１７は、ズームレンズ２１５が最も後側に縮んだ状態を示す断面模式図である。
【００９０】
図１６に示すように、本実施の形態では、ズームレンズ２１５が最も前側に延びた状態において、透明保護プレート４１０は、筒状部３３２ａの前側の端部と面一である。図１７に示すように、ズームレンズ２１５が最も後側に縮んだ状態において、透明保護プレート４１０は、筒状部３３２ａの内部に位置している。
【００９１】
よって、図１６に示す位置（最も前側に延びた状態）から、図１７に示す位置（最も後側に縮んだ状態）の間、透明保護プレート４１０は、筒状部３３２ａの範囲内で移動する。
【００９２】
本実施の形態における構成においても、実施の形態１における写真撮影遊戯機１と同様の作用効果を得ることができる。
【００９３】
＜実施の形態３＞
図１８および図１９を参照して、本実施の形態における写真撮影遊戯機について説明する。上記実施の形態１との相違点は、ズームレンズ２１５の移動範囲にあり、他の構成は実施の形態１の写真撮影遊戯機１と同じである。よって、ここでは、相違点についてのみ説明する。図１８は、ズームレンズ２１５が最も前側に延びた状態を示す断面模式図、図１９は、ズームレンズ２１５が最も後側に縮んだ状態を示す断面模式図である。
【００９４】
図１８に示すように、本実施の形態では、ズームレンズ２１５が最も前側に延びた状態において、透明保護プレート４１０は、筒状部３３２ａの前側からさらに被写体側に突出している。図１９に示すように、ズームレンズ２１５が最も後側に縮んだ状態においても、透明保護プレート４１０は、筒状部３３２ａの前側からさらに被写体側に突出している。ズームレンズ２１５の筒状部３３２ａの前側からの突出量は、ズームレンズ２１５が最も前側に延びた状態の方が、ズームレンズ２１５が最も後側に縮んだ状態よりも大きい。
【００９５】
よって、図１８に示す位置（最も前側に延びた状態）から、図１９に示す位置（最も後側に縮んだ状態）の間、透明保護プレート４１０は、筒状部３３２ａの範囲外で移動する。
【００９６】
本実施の形態における構成においても、実施の形態１における写真撮影遊戯機１と同様の作用効果を得ることができる。
【００９７】
＜実施の形態４＞
図２０および図２１を参照して、本実施の形態における写真撮影遊戯機について説明する。上記実施の形態１との相違点は、カメラフードユニット３３０の構成にあり、他の構成は実施の形態１の写真撮影遊戯機１と同じである。よって、ここでは、相違点についてのみ説明する。図２０は、ズームレンズ２１５が最も前側に延びた状態を示す断面模式図、図２１は、ズームレンズ２１５が最も後側に縮んだ状態を示す断面模式図である。
【００９８】
図２０に示すように、本実施の形態では、カメラフードユニット３３０を構成する、支持プレート３３３および保護リング３３４が、ズームレンズ２１５側に固定されている。本実施の形態では、透明保護プレート４１０に支持プレート３３３および保護リング３３４が固定されているが、ズームレンズ２１５に固定されていてもよい。
【００９９】
本実施の形態における構成においても、実施の形態１における写真撮影遊戯機１と同様の作用効果を得ることができる。
【０１００】
＜実施の形態５＞
図２２から図２５を参照して、本実施の形態における写真撮影遊戯機について説明する。上記実施の形態１においては、透明保護プレート４１０がズームレンズ２１５の前側に直接固定されていたが、本実施の形態では、ズームレンズ２１５との間に連動機構を構成する筒状の蛇腹７００を介在させて、透明保護プレート４１０がズームレンズ２１５に取り付けられている。
【０１０１】
図２２は、ズームレンズ２１５が最も前側に延びた状態を示す断面模式図、図２３は、ズームレンズ２１５が後側に縮む状態を示す断面模式図、図２４は、ズームレンズ２１５がさらに後側に縮む状態を示す断面模式図、図２５は、ズームレンズ２１５が最も後側に縮んだ状態を示す断面模式図である。
【０１０２】
図２２に示すように、透明保護プレート４１０は、筒状の蛇腹７００を用いてズームレンズ２１５の前側に固定されている。透明保護プレート４１０および蛇腹７００は、筒状部３３２ａの前側からさらに被写体側に突出している。ズームレンズ２１５の伸縮方向における蛇腹７００の幅はｗ１である。透明保護プレート４１０とズームレンズ２１５との間の距離は、透明保護プレート４１０に付着した埃等の像が、写真画像に写り込むことがない距離に予め設定されている。
【０１０３】
図２２に示すように、ズームレンズ２１５が縮み、透明保護プレート４１０が筒状部３３２ａの内部に入り出すと、透明保護プレート４１０の外周面と筒状部３３２ａの内周面との間に摩擦が生じる。図２３に示すように、この摩擦力の発生により、透明保護プレート４１０の移動が停止し、ズームレンズ２１５のみが収縮する。その結果、図２４に示す用意、蛇腹７００の幅がｗ１からｗ２に延びる。蛇腹７００の幅がｗ２になり、透明保護プレート４１０とズームレンズ２１５との間の距離が拡大した場合でも、透明保護プレート４１０に付着した埃等の像が、写真画像に写り込むことがない距離に予め設定されている。
【０１０４】
蛇腹７００の幅がｗ２になると、蛇腹７００は、ｗ２以上伸びない構造を有している。その結果、図２５に示すように、引き続きズームレンズ２１５が縮んだ場合には、蛇腹７００の幅ｗ２が維持された状態で、透明保護プレート４１０はズームレンズ２１５の移動にともなって、ズームレンズ２１５の移動方向に移動することとなる。
【０１０５】
逆に、図２５に示す状態から、ズームレンズ２１５が伸びる場合には、蛇腹７００の幅がｗ２からｗ１に縮んだ後に、透明保護プレート４１０はズームレンズ２１５の移動にともなって、ズームレンズ２１５の移動方向に移動することとなる。
【０１０６】
本実施の形態においては、ズームレンズ２１５の伸縮の移動の間の一部に、透明保護プレート４１０とズームレンズ２１５と間の距離が変化する領域があるものの、予め透明保護プレート４１０に付着した埃等の像が、写真画像に写り込むことがない距離に設定されていることから、実施の形態１における写真撮影遊戯機１と同様の作用効果を得ることができる。
【０１０７】
＜実施の形態６＞
図２６および図２７を参照して、本実施の形態における写真撮影遊戯機について説明する。上記実施の形態１においては、透明保護プレート４１０がズームレンズ２１５の前側に直接固定されていたが、本実施の形態では、透明保護プレート４１０は、ズームレンズ２１５に固定されておらず、透明保護プレート４１０には、ズームレンズ２１５の伸縮に連動するように透明保護プレート４１０を移動させる連動機構が設けられている。
【０１０８】
図２６は、ズームレンズ２１５が最も前側に延びた状態を示す断面模式図、図２７は、ズームレンズ２１５が後側に縮む状態を示す断面模式図である。
【０１０９】
図２６に示すように、連動機構として、歯車機構が採用されている。具体的には、透明保護プレート４１０の外周面には、ラック４５１が形成され、このラック４５１に螺合する円筒形状の歯車４５２が設けられている。歯車４５２が軸周りに回転することで、透明保護プレート４１０は前後方向に移動する。
【０１１０】
図５に示す調整装置３００によりズームレンズ２１５の伸縮にともなう移動量に応じて、歯車４５２の回転数を制御することで、ズームレンズ２１５と透明保護プレート４１０との間の距離を一定に保った状態で、透明保護プレート４１０を移動させることができる。
【０１１１】
その結果、実施の形態１に示したように、ズームレンズ２１５と透明保護プレート４１０との間の距離は一定に保たれ、実施の形態１における写真撮影遊戯機１と同様の作用効果を得ることができる。
【０１１２】
以上、本発明の各実施の形態における写真プリント作成方法および写真プリント作成装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１１３】
１  写真撮影遊戯機、２  撮影ブース、３  編集ブース、４  事前接客ブース、５  事後接客ブース、１５  ストロボ、１７  クロマキーキャプチャボード、２０  撮影装置、２０Ａ  正面筐体、２０Ｂ  背面筐体、３５  編集装置、４０  事前受付装置、４１，５１  受付用ディスプレイ、４２  コイン投入口、４３，５３，３５３，４５０  スピーカ、４４  コイン制御部、５０  事後受付装置、５２  写真プリント排出装置、５４  プリント排出口、９７  非接触通信装置、１００  制御装置、１０１  コンピュータ装置、１０２  制御基板、１０５  メモリ、１０６  通信部、１１０  制御部、１１３  サービスパネル、２００  撮影カメラ、２１０  カメラ本体、２１５  ズームレンズ、２１５ａ  雄ネジ、２２０  ディスプレイ、２３１〜２４２，２５１〜２５４  照明装置、２５０  背面パネル、２５１，３５１  編集用ディスプレイ、３００  調整装置、３０１  支持台、３１０  調整機構、３１２  モータ、３１３  トルクリミッタ、３１４  第１ギヤ、３１５  第２ギヤ、３１６  ズーム規制ギヤ、３３０  カメラフードユニット、３３１  ボックス、３３１ｈ，３３２ｈ，３３３ｈ  開口部、３３２  ガイドプレート、３３２ａ  筒状部、３３３  支持プレート、３３４  保護リング、３５０  画像編集装置、３５２  タッチペン、３６０  筐体、４００  レンズ保護プレート、４１０  透明保護プレート、４２０  リング部、４５１  ラック、４５２  歯車、６５０  プリンタ、７００  蛇腹。
【図１】
2015079049.tif 000003
【図２】
2015079049.tif 000004
【図３】
2015079049.tif 000005
【図４】
2015079049.tif 000006
【図５】
2015079049.tif 000007
【図６】
2015079049.tif 000008
【図８】
2015079049.tif 000009
【図９】
2015079049.tif 000010
【図１０】
2015079049.tif 000011
【図１１】
2015079049.tif 000012
【図１２】
2015079049.tif 000013
【図１３】
2015079049.tif 000014
【図１４】
2015079049.tif 000015
【図１５】
2015079049.tif 000016
【図１６】
2015079049.tif 000017
【図１７】
2015079049.tif 000018
【図１８】
2015079049.tif 000019
【図１９】
2015079049.tif 000020
【図２０】
2015079049.tif 000021
【図２１】
2015079049.tif 000022
【図２２】
2015079049.tif 000023
【図２３】
2015079049.tif 000024
【図２４】
2015079049.tif 000025
【図２５】
2015079049.tif 000026
【図２６】
2015079049.tif 000027
【図２７】
2015079049.tif 000028
【図２８】
2015079049.tif 000029
【図２９】
2015079049.tif 000030
【図３０】
2015079049.tif 000031
【図７】
2015079049.tif 000032
【図３１】
2015079049.tif 000033